(57)【要約】      （修正有）【課題】携帯電話を押し込んだときにキャラクターの音声が流れる携帯電話スタンドを提供する。【解決手段】携帯電話スタンド１は、キャラクターの形状を有するマスコット１０と、マスコット１０の第１開口部２１からマスコット１０の内部に延在していて、携帯電話２を収納して携帯電話２が立つように支持する携帯電話収納袋２０と、押しボタンとして構成される押しボタン型筐体、キャラクターの音声を再生するスピーカ、及び押しボタン型筐体が押されたときにスピーカにキャラクターの音声を再生させる回路基板を有するモジュール４０と、マスコット１０の第２開口部３１からマスコット１０の内部に延在していてモジュール４０を収納するモジュール収納袋３０と、を備え、押しボタン型筐体が、携帯電話収納袋２０に収納された携帯電話２に当接するようにモジュール収納袋３０の内部で位置付けられ、携帯電話２が押し込まれたときに押しボタン型筐体が押される。【選択図】図２
0003205839.tif 000002
【実用新案登録請求の範囲】
【請求項１】
キャラクターの形状を有するマスコットと、
前記マスコットの第１開口部から前記マスコットの内部に延在していて、携帯電話を収納して該携帯電話が立つように支持する携帯電話収納袋と、
押しボタンとして構成される押しボタン型筐体、前記キャラクターの音声を再生するスピーカ、及び前記押しボタン型筐体が押されたときに前記スピーカに前記キャラクターの音声を再生させるように構成された回路基板を有するモジュールと、
前記マスコットの第２開口部から前記マスコットの内部に延在していて前記モジュールを収納するモジュール収納袋と、を備え、
前記押しボタン型筐体が前記携帯電話収納袋に収納された携帯電話に当接するように前記モジュール収納袋の内部で位置付けられ、携帯電話が押し込まれたときに前記押しボタン型筐体が押されることを特徴とする携帯電話スタンド。
【請求項２】
前記マスコットを取り外し可能に着座させるための台座を更に備え、前記第２開口部が前記マスコットの前記台座に接触する部分に設けられている、請求項１に記載の携帯電話スタンド。
【請求項３】
前記回路基板が、前記キャラクターの音声を複数記憶する記憶部、及び記憶された前記キャラクターの音声を前記スピーカにランダムに再生させる制御部と、を更に有する、請求項１に記載の携帯電話スタンド。
【請求項４】
前記第２開口部の周囲に面ファスナー部分及び該面ファスナー部分に被せる被せ部分を更に有する、請求項１に記載の携帯電話スタンド。
【考案の詳細な説明】
【技術分野】
【０００１】
本考案は、スマートフォン等の携帯電話を立てるスタンド機能を有する携帯電話スタンドに関する。
【背景技術】
【０００２】
従来、キックボードのミニチュア玩具において携帯電話のスタンド機能を兼ね備えたものが、例えば特許文献１に開示されている。
【先行技術文献】
【特許文献】
【０００３】
【特許文献１】実用新案登録第３０７２６３６号公報
【考案の概要】
【考案が解決しようとする課題】
【０００４】
しかしながら、携帯電話を押し込んだときにキャラクターの音声が流れる携帯電話スタンドは見当たらなかった。
【課題を解決するための手段】
【０００５】
本考案の第１の態様は、キャラクターの形状を有するマスコットと、マスコットの第１開口部からマスコットの内部に延在していて、携帯電話を収納して該携帯電話が立つように支持する携帯電話収納袋と、押しボタンとして構成される押しボタン型筐体、キャラクターの音声を再生するスピーカ、及び押しボタン型筐体が押されたときにスピーカにキャラクターの音声を再生させるように構成された回路基板を有するモジュールと、マスコットの第２開口部からマスコットの内部に延在していてモジュールを収納するモジュール収納袋と、を備え、押しボタン型筐体が携帯電話収納袋に収納された携帯電話に当接するようにモジュール収納袋の内部で位置付けられ、携帯電話が押し込まれたときに押しボタン型筐体が押される、携帯電話スタンドを提供する。
本考案の第２の態様は、第１の態様において、マスコットを取り外し可能に着座させるための台座を更に備え、第２開口部がマスコットの台座に接触する部分に設けられている、携帯電話スタンドを提供する。
本考案の第３の態様は、第１の態様において、回路基板が、キャラクターの音声を複数記憶する記憶部、及び記憶されたキャラクターの音声をスピーカにランダムに再生させる制御部と、を更に有する、携帯電話スタンドを提供する。
【考案の効果】
【０００６】
本考案に係る携帯電話スタンドによれば、携帯電話を押し込んだときにキャラクターの音声が流れる携帯電話スタンドを提供できる。
【図面の簡単な説明】
【０００７】
【図１】本考案の一実施形態における携帯電話スタンドの使用状態を示す斜視図である。
【図２】本考案の一実施形態における携帯電話スタンドの側面図である。
【図３】本考案の一実施形態におけるマスコットの底面図である。
【図４】本考案の一実施形態における台座の平面図である。
【図５】本考案の一実施形態における第２開口部の拡大図である。
【図６】本考案の一実施形態におけるモジュールの断面図である。
【考案を実施するための形態】
【０００８】
以下、添付図面を参照して、本考案の実施形態を詳細に説明する。各図面において、同様の構成要素には同様の符号が付与されている。なお、以下に記載される内容は、実用新案登録請求の範囲に記載される考案の技術的範囲及び用語の意義を限定するものではない。
【０００９】
図１は、本実施形態における携帯電話スタンド１の使用状態を示す斜視図であり、図２は、本実施形態における携帯電話スタンド１の側面図である。携帯電話スタンド１は、マスコット１０と、携帯電話収納袋２０と、モジュール収納袋３０と、モジュール４０と、台座５０と、を有する。携帯電話スタンド１は、携帯電話２が携帯電話収納袋に挿入されることにより携帯電話２が立つように支持可能になっている。
【００１０】
図１に示すように、マスコット１０は、卵の黄身を模したキャラクターの形状を有していて中綿入り布等（縫製物）で形成される。図１及び図２に示すように、マスコット１０の上部には、第１開口部２１が設けられており、第１開口部２１からマスコット１０の内部に向かって、スマートフォン等の携帯電話を収納して携帯電話が立つように支持する携帯電話収納袋２０が延在している。
【００１１】
図２に示すように、マスコット１０の底部には、第２開口部３１が設けられており、第２開口部３１からマスコット１０の内部に向かって、モジュールを収納するモジュール収納袋３０が延在している。
【００１２】
図３は、本実施形態におけるマスコットの底面図であり、図４は、本実施形態における台座の平面図である。図３及び図４に示すように、マスコット１０及び台座５０は、それぞれ対応する位置に面ファスナー部分１１、１２、５１及び５２を有していて、マスコット１０は、取り外し可能に台座５０に着座させられる。台座５０は、卵の白身を模した形状を有していて中綿入りの布等（縫製物）で形成されている。
【００１３】
図５は、本実施形態における第２開口部の拡大図である。図５に示すように、第２開口部３１の周囲には、面ファスナー部分３２と、面ファスナー部分３２に被せる被せ部分３３とが設けられている。マスコット１０を台座５０から取り外し、さらに被せ部分３３を面ファスナー部分３２から取り外すことにより、モジュール４０を取り出して電池交換を容易に行えるようになっている。
【００１４】
図６に示すように、モジュール４０は、押しボタン型筐体４１と、回路基板４２と、回路基板に接続するスピーカ４３と、ボタン電池４４と、ばね４５と、を有する。押しボタン型筐体４１は、ばね４５により付勢された第１筐体４１ａ及び第２筐体４１ｂを有していて押しボタンとして構成される。押しボタン型筐体４１は、携帯電話収納袋２０に収納された携帯電話２に当接するようにモジュール収納袋３０の内部で位置付けられる。携帯電話２が押し込まれると、第１筐体４１ａが下方に付勢され、ばね４５を介して回路基板４２に設けられた、図示しないスイッチが投入される。スイッチが投入されると、回路基板４２は、キャラクターの音声をスピーカ４３に再生させる。回路基板４２は、図示しないものの、マイクロコンピュータを有しており、マイクロコンピュータは、キャラクターの音声を複数記憶する記憶部と、記憶したキャラクターの音声をスピーカ４３にランダムに再生させる制御部と、を有する。
【００１５】
図２を参照して、携帯電話２を押し込んだときにモジュール４０が音声を再生する手順を説明する。携帯電話スタンド１に携帯電話２を収納し、携帯電話２を上から押し込むと、携帯電話２が携帯電話スタンド１の内部の押しボタン型筐体を押圧して回路基板を作動させる。回路基板は、例えば記憶部に記憶されたキャラクターの音声「ラジャー。」をスピーカに再生させる。
【００１６】
ここで、本考案の作用効果について説明する。本考案に係る携帯電話スタンドによれば、携帯電話２を立たせた状態では音声が流れないものの、携帯電話２を押し込んだときにキャラクターの音声がランダムに流れる携帯電話スタンドを提供できる。
【００１７】
本明細書において種々の実施形態について説明したが、本考案は、前述した種々の実施形態に限定されるものではなく、以下の実用新案登録請求の範囲に記載された範囲内において種々の変更を行えることを認識されたい。
【符号の説明】
【００１８】
１    携帯電話スタンド
１０    マスコット
２０    携帯電話収納袋
２１    第１開口部
３０    モジュール収納袋
３１    第２開口部
４０    モジュール
４１    押しボタン型筐体
４２    回路基板
４３    スピーカ
【図１】
0003205839.tif 000003
【図２】
0003205839.tif 000004
【図３】
0003205839.tif 000005
【図４】
0003205839.tif 000006
【図５】
0003205839.tif 000007
【図６】
0003205839.tif 000008